(57)【特許請求の範囲】
【請求項１】
本体前面を閉塞する主扉の前面と本体の天面にまたがって取り付けられ、前記主扉の上端部を覆う上部カバー部材と、本体前面を閉塞する主扉の前面と本体の底面にまたがって取り付けられ、前記主扉の下端部を覆う下部カバー部材とを備えた自動販売機の梱包装置において、前記上部カバー部材は段ボール板からなると共に、前記主扉の前面と当接して当該前面の上部を覆う前面上部被覆部と、前記天面と当接して当該天面の前部を覆う天面被覆部と、前記前面上部被覆部と前記天面被覆部を繋ぐ連繋部を備え、前記連繋部は前記主扉の上端部と傾斜して当接する平板からなり、前記下部カバー部材は段ボール板からなると共に、前記主扉の前面と当接して当該前面の下部を覆う前面下部被覆部と、前記底面の下側に板状に設けられ前記底面の前部を覆う底面被覆部とを備え、前記底面被覆部は後端を上方に向けて折り曲げた傾斜面を備えたことを特徴とする自動販売機の梱包装置。
【請求項２】
前記前面上部被覆部は前記主扉の前面から予め定められた厚さ分前方に突出した上部衝撃吸収部を備え、前記天面被覆部材は前記本体の天面から予め定められた分上方に突出した天面衝撃吸収部を備え、前記連繋部は前記上部衝撃吸収部と前記天面衝撃吸収部を繋ぐ平板からなる請求項１に記載の自動販売機の梱包装置。
【請求項３】
前記上部衝撃吸収部はコ字状に折り曲げた段ボール板を前記主扉の前面側から前方に向かって積み重ねて形成した上コア部と、段ボール板を角筒状に折り曲げて前記上コア部を被覆した上外殻部から成り、前記連繋部は前記上外殻部を形成する段ボール板を上方に傾けながら後方に延出して形成した前記平板から成り、前記天面衝撃吸収部は前記平板の後端から後方に延出して形成した上平板部と前記上平板部の下面に段ボール板を積み重ねて下方に突出して形成した重厚部から成ることを特徴とする請求項２に記載の自動販売機の梱包装置。
【請求項４】
前記上部カバー部材を左右に分断または折り曲げ可能にするミシン目部を備えたことを特徴とする請求項３に記載の自動販売機の梱包装置。
【請求項５】
前記底面被覆部は前記本体の底面に下方に突出して設けた支持脚または前記支持脚を覆う脚被覆部材に前方から当接し、前記下部カバー部材の後方への位置ずれを規制する前ストッパー部を備えたことを特徴とする請求項１に記載の自動販売機の梱包装置。
【請求項６】
前記底面被覆部は、前記支持脚または前記脚被覆部に左右方向から当接し、前記下部カバー部材の左右方向の位置ずれを規制するする横ストッパー部を備えたことを特徴とする請求項５に記載の自動販売機の梱包装置。
【請求項７】
前記前面下部被覆部は前記主扉の前面から予め定められた厚さ分前方に突出した下部衝撃吸収部を備え、前記底面被覆部は前記下部衝撃吸収部の下端を後方に延出して形成したことを特徴とする請求項５または請求項６に記載の自動販売機の梱包装置。
【請求項８】
前記下部衝撃吸収部はコ字状に折り曲げた段ボール板を前記主扉の前面側から前方に向かって積み重ねて形成した下コア部と、段ボール板を角筒状に折り曲げて前記コア部を被覆形成した下外殻部とから成り、前記底面被覆部は前記下外殻部を形成する段ボール板を当該下外殻部の下端から後方に延出して形成した下平板部から成ることを特徴とする請求項７に記載の自動販売機の梱包装置。
【請求項９】
前記下部カバーを左右に分断または折り曲げ可能にするミシン目部を備えたことを特徴とする請求項８に記載の自動販売機の梱包装置。
【発明の詳細な説明】
【０００１】
【発明の属する技術分野】
本発明は、自動販売機を保管や輸送、移動に適した状態で梱包する自動販売機の梱包装置に関するものである。
【０００２】
【従来の技術】
図６は、従来の自動販売機に用いられていた梱包装置を示す斜視図である。図に示すように、この梱包装置は、透明なポリエチレン製のカバー袋９によって自動販売機２０を被覆し、自動販売機２０の上下端の前後にそれぞれ損傷防止用のカバー部材３１、３２、３３、３４を添設し、これらの４個のカバー部材３１、３２、３３、３４を結束バンド６によって上側から自動販売機２０に縛り付けるものである。また、この梱包装置は、図示しないが自動販売機２０の底面２２ｂに突出して設けられた水平度調節脚を被覆する脚被覆部材７を備えている。
【０００３】
次に、自動販売機２０の前面の上下端に添設され、この梱包装置を構成するカバー部材３１、３２について説明する。
【０００４】
図７は、自動販売機２０の前面上端に添設されるカバー部材３１の側断面図を示す。図に示すように、自動販売機２０の前面２１ａの上端に添設されるカバー部材３１は、厚板紙を曲折して先端に断面略Ｂ字型の筒状部を成形した成形合板部材３１ａ、３１ｂと、自動販売機２０の前面２１ａ上端の曲面形状に沿って形成した板紙を左右に重合した上部緩衝部材３１ｃと、板紙を上下に積み重ねて形成した天面緩衝部材３１ｄとから構成され、成形合板部材３１ａ、３１ｂをコ字状に接合し、上部緩衝部材３１ｃをコ字状に接合された成形合板部材３１ａの断面略Ｂ字型の筒状部の背面に配設し、天面緩衝部材３１ｄを成形合板部材３１ｂの筒状部の上端から延出して形成された重合板部の下面に添設した構造を成している。そして、この上端のカバー部材３１は、コ字状に接合された成形合板部材３１ａ、３１ｂに形成された断面略Ｂ字型の筒状部の背面が自動販売機２０の前面２１ａ上部および側面２２ｃ上部と当接し、上部緩衝部材３１ｃが自動販売機２０の前面２１ａ上端部の曲面と当接し、天面緩衝部材３１ｄの下面が自動販売機２０の天面２２ａと当接して自動販売機２０の前面２１ａ上部を覆うように添設されている。
【０００５】
図８は、自動販売機２０の前面２１ａ下端に添設されるカバー部材３２の側断面図を示す。図に示すように、この前面２１ａ下端に添接されるカバー部材３２は、上記と同様に厚板紙を曲折して先端に断面略Ｂ字型の筒状部を成形した成形合板部材３２ａと、自動販売機２０の前面２１ａの下端形状に沿って形成した板紙を左右に重合した下部緩衝部材３２ｂと、段ボール板を角筒状に折り曲げて形成した角筒部材３２ｃとから構成され、下部緩衝部材３２ｂを成形合板部材３２ａの断面略Ｂ字型の筒状部の背面に配設し、角筒部材３２ｃを成形合板部材３２ａの左右に接合してコ字状に形成されている。そして、この下端のカバー部材３２は、成形合板部材３２ａの断面略Ｂ字型の筒状部の背面が自動販売機２０の前面２１ａ下部と当接し、角筒部材３２ｃが自動販売機２０の側面２２ｃ下部と当接し、成形合板部材３２ａの筒状部の下端から延出して形成された重合板部が自動販売機２０の底面２２ｂに当接し、下部緩衝部材３２ｂが自動販売機２０の前面２１ａ下端部の曲面と当接して自動販売機２０の前面２１ａ下部を覆うように添設されている。
【０００６】
ここで、自動販売機２０の背面の上下に添設されるカバー部材３３、３４は、自動販売機２０の前面２１ａの上下に添設されるカバー部材３１、３２と略同様に構成されるため、説明を省略する。但し、自動販売機２０の背面の上下端部は直角平面で形成されるため、前述の前面２１ａ上下端部の曲面と当接する上部緩衝部材３１ｃおよび下部緩衝部材３２ｂに相当する構成は設けられていない。
【０００７】
以上ように構成された４個のカバー部材を図６に示すように、結束バンド６（２本）で上側から自動販売機２０の４隅に縛り付けることにより、自動販売機２０の輸送、移動および保管時に自動販売機２０の傷付きや変形を防止することができる。また、このような梱包部材は、自動販売機２０の設置後に廃棄処分されるのが通常である。
【０００８】
【発明が解決しようとする課題】
ところで、成形合板部材３１ａ、３１ｂ、３２ａに形成される断面略Ｂ字型の筒状部は、自動販売機２０の保管や輸送時に、自動販売機２０が直接に他物体と接触するのを防止する緩衝部材の役目をするものであるから、筒状部が容易に潰れないように強固に硬く成形されている。このためこの成形合板部材３１ａ、３１ｂ、３２ａと自動販売機の塗装鋼板等から成る表面との接触部分は滑り易い。また、このように硬く形成された成形合板部材３１ａ、３１ｂ、３２ａから成るカバー部材３１、３２を、例えば主扉２１の上下端部が曲面で形成される自動販売機２０の前面２１ａの上下端部に添設して上側から結束バンド６で締め付けると、結束バンド６はこの成形合板部材３１ａ、３２ａの突端部Ａ、Ｂ（図７、図８参照）を強く押して締め付けるため、カバー部材３１、３２は主扉２１の上下端部の曲面に沿って前後にずれ易くなる。すなわち、このような従来の梱包装置においては、カバー部材３１、３２が所定の位置からずれ易く、荷造りが面倒であるとともに、梱包後も荷姿が崩れ易い問題があった。
【０００９】
また、従来のカバー部材３１、３２、３３、３４の成形合板部材３１ａ、３１ｂ、３２ａは厚板紙を硬く特殊な形状に形成するため、加工コストが高い。さらに、この成形合板部材３１ａ、３１ｂ、３２ａは小さく折り畳むことができないため、廃棄しずらい問題があった。
【００１０】
そこで本発明は、上記問題を解決するために、荷造りが簡単で、梱包後の荷姿が崩れずらく、梱包コストが安価で、廃棄が容易な自動販売機の梱包装置を提供することを目的とするものである。
【００１１】
【課題を解決するための手段】
上記課題を解決するため、請求項１にかかる発明は、本体前面を閉塞する主扉の前面と本体の天面にまたがって取り付けられ、前記主扉の上端部を覆う上部カバー部材と、本体前面を閉塞する主扉の前面と本体の底面にまたがって取り付けられ、前記主扉の下端部を覆う下部カバー部材とを備えた自動販売機の梱包装置において、前記上部カバー部材は段ボール板からなると共に、前記主扉の前面と当接して当該前面の上部を覆う前面上部被覆部と、前記天面と当接して当該天面の前部を覆う天面被覆部と、前記前面上部被覆部と前記天面被覆部を繋ぐ連繋部を備え、前記連繋部は前記主扉の上端部と傾斜して当接する平板からなり、前記下部カバー部材は段ボール板からなると共に、前記主扉の前面と当接して当該前面の下部を覆う前面下部被覆部と、前記底面の下側に板状に設けられ前記底面の前部を覆う底面被覆部とを備え、前記底面被覆部は後端を上方に向けて折り曲げた傾斜面を備えたものである。
【００１２】
この構成によれば、前記上部カバー部材の上側から結束バンドによって前記上部カバー部材を直接に前記主扉の上端部に押し当てて縛り付けることができ、また、前記下部カバー部材の底面被覆部が本体の底面下方に垂れ下がることを防止することができる。
【００１３】
請求項２にかかる発明によれば、請求項１に記載の自動販売機の梱包装置において、前記前面上部被覆部は前記主扉の前面から予め定められた厚さ分前方に突出した上部衝撃吸収部を備え、前記天面被覆部材は前記本体の天面から予め定められた分上方に突出した天面衝撃吸収部を備え、前記連繋部は前記上部衝撃吸収部と前記天面衝撃吸収部を繋ぐ平板からなることによって、自動販売機と他物体との接触や結束バンドの締め付けによる主扉の前面、本体の天面と結束バンドの擦れを防止することができる。
【００１４】
請求項３にかかる発明によれば、請求項２に記載の自動販売機の梱包装置において、前記上部衝撃吸収部はコ字状に折り曲げた段ボール板を前記主扉の前面側から前方に向かって積み重ねて形成した上コア部と、段ボール板を角筒状に折り曲げて前記上コア部を被覆した上外殻部から成り、前記連繋部は前記上外殻部を形成する段ボール板を上方に傾けながら後方に延出して形成した前記平板から成り、前記天面衝撃吸収部は前記平板の後端から後方に延出して形成した上平板部と前記上平板部の下面に段ボール板を積重ねて下方に突出して形成した重厚部から成ることによって、前記上部カバー部材を段ボール板によって容易に形成することができる。
【００１５】
請求項４にかかる発明によれば、請求項３に記載の自動販売機の梱包装置において、前記上部カバー部材を左右に分断または折り曲げ可能にするミシン目部を備えたことによって、前記上部カバー部材を小さく分断または折り曲げることができる。
【００１８】
請求項５にかかる発明によれば、請求項１に記載の自動販売機の梱包装置において、前記底面被覆部は前記本体の底面に下方に突出して設けた支持脚または前記支持脚を覆う脚被覆部材に前方から当接し、前記下部カバー部材の後方への位置ずれを規制する前ストッパー部を備えたことによって、前記下部カバー部材は後方に位置ずれすることが防止される。
【００１９】
請求項６にかかる発明によれば、請求項５に記載の自動販売機の梱包装置において、前記底面被覆部は、前記支持脚または前記脚被覆部に左右方向から当接し、前記下部カバー部材の左右方向の位置ずれを規制するする横ストッパー部を備えたことによって、前記下部カバー部材は左右に位置ずれすることが防止される。
【００２０】
請求項７にかかる発明によれば、請求項５または請求項６に記載の自動販売機の梱包装置において、前記前面下部被覆部は前記主扉の前面から予め定められた厚さ分前方に突出した下部衝撃吸収部を備え、前記底面被覆部は前記下部衝撃吸収部の下端を後方に延出して形成したことによって、自動販売機と他物体との接触や結束バンドの締め付けによる主扉の前面と結束バンドの擦れを防止することができる。
【００２１】
請求項８にかかる発明によれば、請求項７に記載の自動販売機の梱包装置において、前記下部衝撃吸収部はコ字状に折り曲げた段ボール板を前記主扉の前面側から前方に向かって積み重ねて形成した下コア部と、段ボール板を角筒状に折り曲げて前記コア部を被覆形成した下外殻部とから成り、前記底面被覆部は前記下外殻部を形成する段ボール板を当該下外殻部の下端から後方に延出して形成した下平板部から成ることによって、前記下部カバー部材を段ボール板によって形成することができる。
【００２２】
請求項９にかかる発明によれば、請求項８に記載の自動販売機の梱包装置において、前記下部カバーを左右に分断または折り曲げ可能にするミシン目部を備えたことによって、前記下部カバー部材を小さく分断または折り曲げることができる。
【００２３】
【発明の実施の形態】
本発明の実施形態を図を参照して説明する。尚、従来と同等または同様の機能を有する構成には同じ記号を付す。
【００２４】
図1は本発明の実施形態の自動販売機の梱包装置を示す斜視図である。
【００２５】
図に示すように、この梱包装置１は、ポリエチレン製のカバー袋９によって被覆された自動販売機２０の上下端の前後４つの隅部に、段ボール製のカバー部材２、３、４、５をそれぞれ添設し、これらのカバー部材２、３、４、５を結束バンド６によって上側から自動販売機２０に縛り付けたものである。このようにしてカバー部材２、３、４、５を自動販売機２０の４隅に添設することにより、自動販売機２０の保管や輸送時に、自動販売機２０が他物体と直接接触することを防止し、損傷を防止するものである。
【００２６】
図２は、自動販売機２０の前面上端に添設されるカバー部材（上部カバー部材）２を示す平面図、図３はこのカバー部材２の側断面図である。図に示すように、このカバー部材２は、自動販売機２０の本体２２の前面を閉塞する前扉（主扉）２１の前面２１ａと当接してこの前面２１ａの上部を覆う前面上部被覆部１１と、本体２２の天面２２ａと当接してこの天面２２ａの前部を覆う天面被覆部１２と、前面上部被覆部１１と天面被覆部１２を繋ぐとともに前扉２１の上端と当接する平板状の連繋部１３から構成されている。
【００２７】
そして、このカバー部材２を構成する前面上部被覆部１１は、段ボール板を角筒状に折り曲げて形成した角紙管をコ字状に形成した上外殻部１１ａと、上外殻部１１ａの内方にコ字状に曲折した複数枚の段ボール板を前後方向に積み重ねて充填した上コア部１１ｂから成る上部衝撃吸収部１４を備える。また、天面被覆部１２は、天面２２ａの上方に水平に配設される上平板部１２ａと、上平板部１２ａの下面に段ボール板を複数枚積み重ねて形成した重厚部１２ｂとから成る天面衝撃吸収部１５を備える。さらに、連繋部１３は、段ボール板を２枚重ね合わせて構成され、外殻部１１ａの上端と上平板部１２ａの前端を繋ぐとともに前扉２１上端の曲面２１ｂと当接しながら斜め上方に向けて傾斜する平板１３ａを備える。尚、重厚部１２ｂは、前扉２１と本体２２の間で上方に突出して設けられた隙間カバー部材２３の後側に配設される。
【００２８】
このように構成されたカバー部材２を自動販売機２０の前面２１ａ上部に添設する場合、上外殻部１１ａ、連繋部１３の平板１３ａおよび重厚部１２ｂの３箇所が自動販売機２０の前扉２１の前面２１ａ上部、前扉２１の上端および本体２２の天面２２ａ前部と当接し、かつ重厚部１２ｂは隙間カバー部材２３の後側に係止されるため、カバー部材２を予め定められた位置に確実に添設することができ、梱包作業を容易にすることができる。また、連繋部１３の平板１３ａは結束バンド６によって上側から前扉２１の上端の曲面２１ｂに直接押し付けられて自動販売機２０に縛り付けられるため、梱包後のカバー部材２は自動販売機２０と密着度が増して前後に位置ずれしずらい。また、カバー部材２は前扉２１の前面２１ａから上外殻部１１ａの厚さ分前方に突出した上部衝撃吸収部１４と、本体２２の天面２２ａから上平板部１２ａと重厚部１２ｂの厚さ分上方に突出した天面衝撃吸収部１５を備えることにより、自動販売機２０と他物体との直接の接触や結束バンド６の締め付けによる前面２１ａ、天面２２ａと結束バンド６の擦れを防止し、保管や輸送、移動時の自動販売機２０の損傷を防止することができる。さらに、カバー部材２は、汎用の段ボール板を折り曲げたり、積み重ねたりして製造することができるため、適当な柔軟性を有し自動販売機と密接し易く荷姿が崩れにくいとともに、特別な加工なしに容易に製造することができて、コストが安価で、リサイクルがし易く、廃棄が容易である。
【００２９】
図４は、自動販売機２０の前面下端に添設されるカバー部材（下部カバー部材）３を示す平面図、図５はこのカバー部材３の側断面図である。図に示すように、このカバー部材３は、前扉２１の前面２１ａと当接してこの前面２１ａの下部を覆う前面下部被覆部１６と、本体２２の底面２２ｂの下側に板状に設けられて底面２２ｂの前部を覆う底面被覆部１７から構成されている。
【００３０】
そして、このカバー部材３を構成する前面下部被覆部１６は、段ボール板を折り曲げて角筒状に形成し、その両端を後方に向かって延出しコ字状に形成した下外殻部１６ａと、下外殻部１６ａの内方にコ字状に曲折した複数枚の段ボール板を前後方向に積み重ねて充填した下コア部１６ｂから成る下部衝撃吸収部１８を備える。また、底面被覆部１７は下外殻部１６ａを形成する段ボール板を下外殻部１６ａの下端から後方に延出して形成した下平板部１７ａを備える。さらに、この下平板部１７ａの後方には後端を上方に向けて折り曲げた傾斜面１７ｂが形成されている。また、この下平板部１７ａの左右両側には、底面２２ｂに突出して設けられた水平度調節脚を被覆する脚被覆部材７に前方から当接する前ストッパー部１７ｃと左右方向から当接する横ストッパー部１７ｄを備えた切欠き部１７ｅが形成されている。
【００３１】
このように構成されたカバー部材３を自動販売機２０の前面２１ａ下部に添接する場合、底面被覆部１７は後端を上方に向けて折り曲げた傾斜面１７ｂを備えることにより、下平板部１７ａが底面２２ｂ下方に垂れ下がることが防止され、輸送や移動の際に底面２２ａ下方に挿入されるフォークリフトの爪部がこの下平板部１７ａに引っ掛からないようにすることができ、梱包部材の破損や荷姿の崩れを防止することができる。また、下平板部１７ａの後端の左右両側に形成された切欠き部１７ｅの前ストッパー部１７ｃおよび横ストッパー部１７ｄがそれぞれ脚被覆部材７に前方および左右方向から当接することにより、カバー部材３が後方および左右方向に位置ずれすることが防止され、荷姿が容易に崩れないようにすることができる。
また、カバー部材３は、前扉２１の前面２１ａから下外殻部１６ａの厚さ分前方に突出した下部衝撃吸収部１８を備えることにより、自動販売機２０と他物体との直接の接触や結束バンド６の締め付けによる前面２１ａと結束バンド６の擦れを防止し、自動販売機２０の損傷を防止することができる。さらに、このカバー部材３はカバー部材２と同様に汎用の段ボール板から容易に製造することができ、荷姿が崩れにくく、コストが安く、リサイクルや廃棄が容易である。
【００３２】
また、これらのカバー部材３、４は図に示すように左右に分断または折り曲げ可能にするミシン目部２５、２６を備えることが望ましい。これによって、自動販売機２０を設置後にカバー部材３、４を小さく分断または折り曲げて回収、運搬することができ、廃棄やリサイクルの作業を容易にすることができる。
【００３３】
【発明の効果】
以上説明したように請求項１に係る発明によれば、上部カバー部材の上側から結束バンドによって前記上部カバー部材を直接に主扉の上端部に押し当てて縛り付けることができることによって、梱包後の前記上部カバー部材は自動販売機との密着度が増して容易に前後に位置ずれしないようにすることができると共に下部カバー部材の底面被覆部が本体の底面下方に垂れ下がることを防止することができることによって、輸送や移動の際に底面下方に挿入されるフォークリフトの爪部がこの底面被覆部に引っ掛からないようにすることができ、梱包部材の破損や荷姿の崩れを防止することができ、また、上部カバー部材および下部カバー部材を段ボール板により形成することによってリサイクルや廃棄を容易にすることができる。
【００３４】
請求項２に係る発明によれば、自動販売機と他物体との接触や結束バンドの締め付けによる主扉の前面、本体の天面と結束バンドの擦れを防止することができることにより、保管や輸送、移動時の自動販売機２０の損傷を防止することができる。
【００３５】
請求項３に係る発明によれば、上部カバー部材を段ボール板によって容易に形成することができることができることによって、コストを安価にし、リサイクルや廃棄を容易にすることができる。
【００３６】
請求項４に係る発明によれば、上部カバー部材を小さく分断または折り曲げることができることによって、自動販売機の設置後の梱包部材の回収や運搬を容易にし、廃棄やリサイクルの作業を簡単にすることできる。
【００３８】
請求項５に係る発明によれば、下部カバー部材は後方に位置ずれすることが防止されることにより、荷姿の崩れを防止することができる。
【００３９】
請求項６に係る発明によれば、下部カバー部材は左右に位置ずれすることが防止されることにより、荷姿が容易に崩れないようにすることができる。
【００４０】
請求項７に係る発明によれば、自動販売機と他物体との接触や結束バンドの締め付けによる主扉の前面と結束バンドの擦れを防止することができることにより、自動販売機の損傷を防止することができる。
【００４１】
請求項８に係る発明によれば、下部カバー部材を段ボール板によって形成することができることによって、コストを安価にし、リサイクルや廃棄を容易にすることができる。
【００４２】
請求項９に係る発明によれば、下部カバー部材を小さく分断または折り曲げることができることによって、梱包部材の回収や運搬を容易にし、廃棄やリサイクルの作業を簡単にすることできる。
【図面の簡単な説明】
【図１】本発明の実施形態の自動販売機の梱包装置を示す斜視図である。
【図２】本発明の実施形態の自動販売機の前面上端に添設されるカバー部材を示す平面図である。
【図３】本発明の実施形態の自動販売機の前面上端に添設されるカバー部材を示す側断面図である。
【図４】本発明の実施形態の自動販売機の前面下端に添設されるカバー部材を示す側断面図である。
【図５】本発明の実施形態の自動販売機の前面下端に添設されるカバー部材を示す側断面図である。
【図６】従来の実施形態の自動販売機の梱包装置を示す斜視図である。
【図７】従来の実施形態の自動販売機の前面上端に添設されるカバー部材を示す側断面図である。
【図８】従来の実施形態の自動販売機の前面上端に添設されるカバー部材を示す側断面図である。
【符号の説明】
１  梱包装置
２  カバー部材（上部カバー部材）
３  カバー部材（下部カバー部材）
７  脚被覆部材
１１  前面上部被覆部
１１ａ  上外殻部
１１ｂ  上コア部
１２  天面被覆部
１２ａ  上平板部
１２ｂ  重厚部
１３  連繋部
１３ａ  平板
１４  上部衝撃吸収部
１５  天面衝撃吸収部
１６  前面下部被覆部
１６ａ  下外殻部
１６ｂ  下コア部
１７  底面被覆部
１７ａ  下平板部
１７ｂ  傾斜面
１７ｃ  前ストッパー部
１７ｄ  横ストッパー部
１８  下部衝撃吸収部
２０  自動販売機
２１  前扉（主扉）
２１ａ  前面
２２  本体
２２ａ  天面
２２ｂ  底面
２５  ミシン目部
２６  ミシン目部
【図１】
0003838134.tif 000002
【図２】
0003838134.tif 000003
【図３】
0003838134.tif 000004
【図４】
0003838134.tif 000005
【図５】
0003838134.tif 000006
【図６】
0003838134.tif 000007
【図７】
0003838134.tif 000008
【図８】
0003838134.tif 000009